(57)【特許請求の範囲】
【請求項１】
発光色の異なる複数の発光手段と、
前記複数の発光手段の光の出力比を制御して合成するための合成手段と、
複数のモードの切り替えを制御する制御手段を備え、
前記複数の発光手段は、黄色の光を出力する第１発光手段と、青色の光を出力する第２発光手段と、赤色の光を出力する第３発光手段と、緑色の光を出力する第４発光手段を含み、
前記合成手段は、前記第１発光手段と前記第２発光手段が出力する光を合成して出力させるモードと、前記第２発光手段と前記第３発光手段と前記第４発光手段が出力する光を合成して出力させるモードと、前記第１発光手段と前記第２発光手段と前記第３発光手段と前記第４発光手段が出力する光を合成して出力させるモードで合成し、
前記制御手段は、前記各モード間で、切り換えて制御する、照明装置。
【請求項２】
色度図において、前記第１発光手段が出力する光の座標を第１の座標とし、前記第２発光手段が出力する光の座標を第２の座標とし、前記第２発光手段と前記第３発光手段と前記第４発光手段が出力する光を合成して出力させるモードにおけるＲＧＢ基準光の座標を第３の座標とし、
前記合成手段は、前記第１発光手段と前記第２発光手段が出力する光を合成して出力させるモードにおいて、第４の座標の光を合成し、
前記第４の座標は、色度図において、前記第１の座標と前記第２の座標とを結ぶ線上にあり第３の座標に最も近い座標である、請求項１に記載の照明装置。
【請求項３】
前記制御手段は、照明装置と通信可能に接続された制御装置から送信された制御信号に基づいて、前記合成手段のモードを切り換える、請求項１または請求項２に記載の照明装置。
【請求項４】
前記制御手段は、家庭内のエネルギー消費の総量に基づいて、前記合成手段のモードを切り替える、請求項３に記載の照明装置。
【請求項５】
前記合成手段は、前記第１発光手段と前記第２発光手段と前記第３発光手段と前記第４発光手段が出力する光を合成して出力させるモードにおいて、前記第２発光手段と前記第３発光手段と前記第４発光手段が出力する光を合成して出力させるモードの基準光に対して、前記第３発光手段および前記第４発光手段の出力を低下させ、前記第１発光手段の出力を増加させ、前記第２発光手段と前記第３発光手段と前記第４発光手段が出力する光を合成して出力させるモードにおけるＲＧＢ基準光の座標に最も近い光を合成する、請求項４に記載の照明装置。
【請求項６】
発光色の異なる複数の発光手段と、
前記複数の発光手段の光の出力比を制御して合成するための合成手段と、
複数のモードの切り替えを制御する制御手段を含む照明装置と、
前記照明装置と通信可能に接続された制御装置とを含む照明システムであって、
前記複数の発光手段は、黄色の光を出力する第１発光手段と、青色の光を出力する第２
発光手段と、赤色の光を出力する第３発光手段と、緑色の光を出力する第４発光手段を含み、
前記合成手段は、前記第１発光手段と前記第２発光手段が出力する光を合成して出力させるモードと、前記第２発光手段と前記第３発光手段と前記第４発光手段が出力する光を合成して出力させるモードと、前記第１発光手段と前記第２発光手段と前記第３発光手段と前記第４発光手段が出力する光を合成して出力させるモードで合成し、
前記制御手段は、前記各モード間で、切り換えて制御する、照明システム。
【請求項７】
色度図において、前記第１発光手段が出力する光の座標を第１の座標とし、前記第２発光手段が出力する光の座標を第２の座標とし、前記第２発光手段と前記第３発光手段と前記第４発光手段が出力する光を合成して出力させるモードにおけるＲＧＢ基準光の座標を第３の座標とし、
前記合成手段は、前記第１発光手段と前記第２発光手段が出力する光を合成して出力させるモードにおいて、第４の座標の光を合成し、
前記第４の座標は、色度図において、前記第１の座標と前記第２の座標とを結ぶ線上にあり第３の座標に最も近い座標である、請求項６に記載の照明システム。
【請求項８】
前記制御手段は、前記制御装置から送信された制御信号に基づいて、前記合成手段のモードを切り換える、請求項６または請求項７に記載の照明システム。
【請求項９】
前記制御手段は、家庭内のエネルギー消費の総量に基づいて、前記合成手段のモードを切り替える、請求項８に記載の照明システム。
【請求項１０】
前記合成手段は、前記第１発光手段と前記第２発光手段と前記第３発光手段と前記第４発光手段が出力する光を合成して出力させるモードにおいて、前記第３発光手段および前記第４発光手段の出力を低下させ、前記第１発光手段の出力を増加させ、前記第２発光手段と前記第３発光手段と前記第４発光手段が出力する光を合成して出力させるモードにおけるＲＧＢ基準光の座標に最も近い光を合成する、請求項９に記載の照明システム。
【発明の詳細な説明】
【技術分野】
【０００１】
本発明は、照明装置、照明システムおよび制御装置に関し、特に、複数の発光手段の光を組み合わせて出力する照明装置、照明システムおよび制御装置に関する。
【背景技術】
【０００２】
従来から、照明装置において消費電力を抑えるための種々の技術が開示されている。たとえば、特許文献１には、防犯上の理由などから、人がいない場所において照明を点灯させる場合に、光色は不自然であっても低い消費電力で照明を点灯させるための技術が開示されている。
【先行技術文献】
【特許文献】
【０００３】
【特許文献１】特開平１０−１４４１２６号公報
【発明の概要】
【発明が解決しようとする課題】
【０００４】
上記のように、従来では、消費電力を抑えることと自然な光色の両立を図ることは困難であると考えられた。消費電力を抑えたモードにおいて光色が不自然になるのであれば、結局、当該モードで照明を点灯させる場面は限られることになる。このことから、従来の技術によれば、照明装置における消費電力の低減を図るのは困難であった。
【０００５】
本発明は、かかる実情に鑑み考え出されたものであり、その目的は、照明装置において、人間にとって自然な光色を出力しながら消費電力の低減を図ることである。
【課題を解決するための手段】
【０００６】
本開示の或る局面に従った照明装置は、発光色の異なる複数の発光手段と、複数の発光手段の光の出力比を制御して合成するための合成手段と、複数のモードの切り替えを制御する制御手段を備え、複数の発光手段は、黄色の光を出力する第１発光手段と、青色の光を出力する第２発光手段と、赤色の光を出力する第３発光手段と、緑色の光を出力する第４発光手段を含み、合成手段は、第１発光手段と第２発光手段が出力する光を合成して出力させるモードと、第２発光手段と第３発光手段と第４発光手段が出力する光を合成して出力させるモードと、第１発光手段と第２発光手段と第３発光手段と第４発光手段が出力する光を合成して出力させるモードで合成し、制御手段は、各モード間で、切り換えて制御する。
【０００７】
好ましくは、色度図において、第１発光手段が出力する光の座標を第１の座標とし、第２発光手段が出力する光の座標を第２の座標とし、第２発光手段と第３発光手段と第４発光手段が出力する光を合成して出力させるモードにおけるＲＧＢ基準光の座標を第３の座標とし、合成手段は、第１発光手段と第２発光手段が出力する光を合成して出力させるモードにおいて、第４の座標の光を合成し、第４の座標は、色度図において、第１の座標と第２の座標とを結ぶ線上にあり第３の座標に最も近い座標である。
【０００８】
好ましくは、制御手段は、照明装置と通信可能に接続された制御装置から送信された制御信号に基づいて、合成手段のモードを切り換える。
【０００９】
好ましくは、制御手段は、家庭内のエネルギー消費の総量に基づいて、合成手段のモードを切り替える。
【００１０】
合成手段は、第１発光手段と第２発光手段と第３発光手段と第４発光手段が出力する光を合成して出力させるモードにおいて、第２発光手段と第３発光手段と第４発光手段が出力する光を合成して出力させるモードの基準光に対して、第３発光手段および第４発光手段の出力を低下させ、第１発光手段の出力を増加させ、第２発光手段と第３発光手段と第４発光手段が出力する光を合成して出力させるモードにおけるＲＧＢ基準光の座標に最も近い光を合成する。
【００１５】
本発明の別の局面に従った照明システムは、発光色の異なる複数の発光手段と、複数の発光手段の光の出力比を制御して合成するための合成手段と、複数のモードの切り替えを制御する制御手段を含む照明装置と、照明装置と通信可能に接続された制御装置とを含む照明システムであって、複数の発光手段は、黄色の光を出力する第１発光手段と、青色の光を出力する第２発光手段と、赤色の光を出力する第３発光手段と、緑色の光を出力する第４発光手段を含み、合成手段は、第１発光手段と第２発光手段が出力する光を合成して出力させるモードと、第２発光手段と第３発光手段と第４発光手段が出力する光を合成して出力させるモードと、第１発光手段と第２発光手段と第３発光手段と第４発光手段が出力する光を合成して出力させるモードで合成し、制御手段は、各モード間で、切り換えて制御する。
【００１６】
好ましくは、色度図において、第１発光手段が出力する光の座標を第１の座標とし、第２発光手段が出力する光の座標を第２の座標とし、第２発光手段と第３発光手段と第４発光手段が出力する光を合成して出力させるモードにおけるＲＧＢ基準光の座標を第３の座標とし、合成手段は、第１発光手段と第２発光手段が出力する光を合成して出力させるモードにおいて、第４の座標の光を合成し、第４の座標は、色度図において、第１の座標と第２の座標とを結ぶ線上にあり第３の座標に最も近い座標である。
【００１７】
好ましくは、制御手段は、制御装置から送信された制御信号に基づいて、合成手段のモードを切り換える。
【００１８】
好ましくは、制御手段は、家庭内のエネルギー消費の総量に基づいて、合成手段のモードを切り替える。
好ましくは、合成手段は、第１発光手段と第２発光手段と第３発光手段と第４発光手段が出力する光を合成して出力させるモードにおいて、第３発光手段および第４発光手段の出力を低下させ、第１発光手段の出力を増加させ、第２発光手段と第３発光手段と第４発光手段が出力する光を合成して出力させるモードにおけるＲＧＢ基準光の座標に最も近い光を合成する。
【発明の効果】
【００１９】
本発明によれば、視感度が高く発光効率が良好な黄色の光源を含む複数の光源を含む複数の光源の光が合成されて、出力される。これにより、比較的自然な色の光を出力しつつ、消費電力の低減を図ることができる。
【図面の簡単な説明】
【００２０】
【図１】本発明の実施の形態にかかる照明装置を含む、家庭内のエネルギー消費を管理するためのシステムの構成の具体例を示す図である。
【図２】図１の電気機器の構成の具体例を示すブロック図である。
【図３】図１の照明装置の構成の具体例を示すブロック図である。
【図４】図１の照明装置から出力される光の色味を説明するためのｘｙ色度図である。
【図５】図１の照明装置における消費電力と照度の関係を示す図である。
【図６】図１の照明装置における消費電力と照度の関係を示す図である。
【図７】図１の照明装置における、ＢＹ基準光の色味をＲＧＢ基準光の色味に近づけるための方法を説明するための図である。
【図８】図１の照明装置に出力させる基準光を切り替えるために、制御装置において実行される処理のフローチャートである。
【図９】図８を参照して説明した処理の内容を具体的に説明するための図である。
【図１０】図８の変形例の処理の内容を説明するための図である。
【図１１】図１のシステム構成の変形例の具体例を示す図である。
【図１２】図１１の電気機器の構成の具体例を示すブロック図である。
【図１３】図１１の照明装置の構成の具体例を示すブロック図である。
【図１４】図１の照明装置の変形例から出力される光の色味を説明するためのｘｙ色度図である。
【図１５】図１の照明装置の変形例における消費電力と照度の関係を示す図である。
【発明を実施するための形態】
【００２１】
以下、本発明の照明装置の実施の形態について、図面を参照して説明する。なお、以下の説明において、同一の機能および作用を有する要素については、同じ符号を付し、重複する説明を繰返さない。
【００２２】
＜システムの構成＞
図１は、実施の形態にかかる照明装置（または、照明装置の制御装置）を含む、家庭内のエネルギー消費を管理するためのシステム（ＨＥＭＳ（Home Energy Management System）、以下、システムと称する）１００の構成の具体例を示す図である。
【００２３】
図１を参照して、本実施の形態では、電力を消費する電気機器として後述する通信回線に接続可能な一般的な家電が想定され、具体的に空気調和機（以下、エアコンとも称する）、テレビ、および洗濯機が想定される。システム１００には電気機器１０としてこれら機器に相当する電気機器１０Ａ，１０Ｂ，１０Ｃが含まれる。
【００２４】
さらに、システム１００には、照明装置２０と、制御装置３０とが含まれる。
これら電気機器１０、照明装置２０、および制御装置３０は、通信回線で接続され、ネットワークを形成し、互いに通信を行なう。ネットワークとして、たとえば、無線ＬＡＮ（Local  Area  Network）、ZigBee(登録商標)、Bluetooth（登録商標）、有線ＬＡＮ、またはＰＬＣ（Power  Line  Communication）などを利用する。以降の説明では、これらの間の通信は電源ケーブル５０を利用した通信であるとして、電気機器１０、照明装置２０、および制御装置３０は、それぞれ、通信装置として通信モデム（以下、ＰＬＣ（Power Line Communication）とも称する）１１、２１、３１を有している。電気機器１０Ａ，１０Ｂ，１０Ｃの各ＰＬＣ１１は、ＰＬＣ１１Ａ，１１Ｂ，１１Ｃで示されている。ＰＬＣは、機器や装置の本体に着脱可能なものであってもよいし、本体に含まれた一つの機能であってもよい。通信装置が、無線ＬＡＮ、ZigBee(登録商標)、Bluetooth（登録商標）、有線ＬＡＮであった場合でも当てはまる。
【００２５】
＜電気機器＞
図２は、電気機器１０の構成の具体例を示すブロック図である。図２を参照して、一般的な電気機器としての電気機器１０は、ユーザからの操作入力を受け付けるための機構である入力部１２と、制御装置である制御部１３と、電気機器１０として機能するための図示しない機構を駆動させるための機構である駆動部１４と、エネルギー管理部１５と、記憶部１６とを含む。
【００２６】
電気機器１０がエアコンや洗濯機やテレビである場合、入力部１２としてはスイッチなどが該当する。
【００２７】
制御装置である制御部１３は、図示しないＣＰＵ（Central Processing Unit）、ＲＡＭ（Random Access Memory）などを含み、入力部１２からの操作信号に従ってＣＰＵがＲＡＭに記憶されているプログラムを実行することによって駆動部１４に制御信号を出力し、図示しない機構を駆動させる。駆動対象の機構は、電気機器１０がエアコンである場合には送風機構や加熱機構、洗濯機である場合には洗濯槽の回転機構、などが該当する。
【００２８】
エネルギー管理部１５は、駆動部１４に接続され、駆動部１４による駆動動作によって上記機構で消費される電力を検出する。エネルギー管理部１５は、その検出を行なうための駆動部１４に接続された回路等のハードウェア構成であってもよいし、制御部１３のＣＰＵがプログラムを実行することによってＣＰＵの実現する機能の一つ、つまりソフトウェア構成であってもよい。
【００２９】
エネルギー管理部１５は、ＲＡＭやＨＤＤ（Hard Disk Drive）などの記憶装置に接続され、または記憶装置を含み、検出された電力消費を記憶する。該記憶装置には当該電気機器１０を特定する情報も記憶される。記憶媒体として、例えばＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）などがある。電気機器１０を特定する情報としては、たとえば「エアコン」や「洗濯機」であることを特定する情報であってもよいし、製造番号等であってもよい。これらは予め出荷時に記憶されているものであってもよいし、その後に入力されて記憶されるものであってもよい。
【００３０】
エネルギー管理部１５は、上記記憶装置に記憶された消費電力を表わす情報に当該電気機器１０を特定する情報を関連付けてＰＬＣ１１に渡し、制御装置３０に送信させる。送信のタイミングは、いわゆるプッシュ型と言われる、予め規定された時間間隔や電源が投入されてから予め規定された時間後などの電気機器１０側で規定したタイミングであってもよいし、いわゆるプル型と言われる、制御装置３０から要求を受けてそのタイミングであってもよい。
【００３１】
また、電気機器１０では、ＰＬＣ１１を介して入力された情報が制御部１３へと送られる。制御部１３は、当該情報に基づいて、駆動部１４による駆動動作を制御できる。
【００３２】
記憶部１６には、制御部１３によって実行されるプログラム、および、当該プログラムの実行に必要なデータ等、種々のデータが記憶される。
【００３３】
＜制御装置＞
図１に戻って、制御装置３０は、たとえば汎用のコンピュータによって実現され、ＣＰＵ３３と、ＲＡＭ３４と、ＨＤＤ（ハードディスクドライブ）３５と、パネル３６と、通信デバイス３７と、ＰＬＣ３１とを含む。
【００３４】
ＣＰＵ３３は、たとえばＨＤＤ３５のハードディスクに格納された、プログラムを実行することにより、制御装置３０に、本実施の形態において説明されるような機能を発揮させる。
【００３５】
また、ＣＰＵ３３は、ＰＬＣ３１および電源ケーブル５０を介して、図１に示されるシステム１００内の機器と通信でき、さらに、通信デバイス３７を介して、図示せぬ外部のネットワークを構成する機器と通信することもできる。
【００３６】
ＲＡＭ３４は、ＣＰＵ３３のワークスペースとして機能する。
パネル３６は、たとえば、タッチパネルのように、液晶表示装置等の表示装置とタッチセンサ等の外部からのタッチ操作を検出するための装置とが組み合わされることによって実現される。ＣＰＵ３３は、その処理内容等をパネル３６に表示させることができる。また、ＣＰＵ３３は、パネル３６に入力された情報に応じた処理を実行する。
【００３７】
＜照明装置＞
図３は、照明装置２０の構成の具体例を示すブロック図である。
【００３８】
図３を参照して、照明装置２０は、入力部２２、制御部２３、駆動部２４、エネルギー管理部２５、および、記憶部２６を含む。これらは、電気機器１０の入力部１２，制御部１３，駆動部１４，エネルギー管理部１５，記憶部１６にそれぞれ相当する。
【００３９】
また、照明装置２０は、赤色（Ｒ）の光を出力するＬＥＤ（Light Emitting Diode）２７Ｒと、緑色（Ｇ）の光を出力するＬＥＤ２７Ｇと、青色（Ｂ）の光を出力するＬＥＤ２７Ｂと、黄色（Ｙ）の光を出力するＬＥＤ２７Ｙとを含む。本実施の形態では、ＬＥＤ２７Ｒ，２７Ｇ，２７Ｂ，２７Ｙによって、発光手段が構成される。なお、照明装置２０によって備えられる発光手段は、ＬＥＤに限定されず、例えば蛍光灯、有機ＥＬ（Electro-Luminescence）、無機ＥＬなどの他の光源であっても良い。
【００４０】
駆動部２４は、制御部２３からの指令に応じて、ＬＥＤ２７Ｒ，２７Ｇ，２７Ｂ，２７Ｙの出力比を制御し、そして、これらが発する光を合成して、出力する。これにより、照明装置２０が出力する光の色味が制御される。
【００４１】
＜ＬＥＤ単体の色味＞
図４は、照明装置２０から出力される光の色味を説明するためのｘｙ色度図である。
【００４２】
図４の色度図では、ＬＥＤ２７Ｒが単体で出力する光の座標が、塗りつぶされた丸印（Ｒ）で示されている。また、ＬＥＤ２７Ｇが単体で出力する光の座標が、白抜きの三角印（Ｇ）で示されている。また、ＬＥＤ２７Ｂが単体で出力する光の座標が、白抜きの四角印（Ｂ）で示されている。また、ＬＥＤ２７Ｙが単体で出力する光の座標が、菱形印（Ｙ）で示されている。なお、照明装置２０に備えられる各ＬＥＤの座標は一例である。ＬＥＤ２７Ｒ，２７Ｇ，２７Ｂ，２７Ｙのそれぞれについての座標は、同様の色味を示す光源が利用されるのであれば、多少、図４に示されたものとは異なる場合も有り得る。
【００４３】
表１に、ＬＥＤ２７Ｒ，２７Ｇ，２７Ｂ，２７Ｙのそれぞれの情報を示す。
【００４４】
【表１】
0005744675.tif 000002
【００４５】
表１では、各ＬＥＤ２７Ｒ，２７Ｇ，２７Ｂ，２７Ｙのそれぞれについて、Ｎｏ．１〜４の番号が付され、ｘｙ色度、ＬＥＤの出力、消費電力、照度、発光効率、ＬＥＤ２７Ｒ，２７Ｇ，２７Ｂ，２７ＹのうちどのＬＥＤを使用したか、が示されている。表１において、照度の単位はルクス（Ｌｘ）で表されている。
【００４６】
なお、使用ＬＥＤの欄が「Ｒ」であるＮｏ．１は、ＬＥＤ２７Ｒ単色の光の情報を示す。また、使用ＬＥＤの欄が「Ｇ」であるＮｏ．２は、ＬＥＤ２７Ｇ単色の光の情報を示す。また、使用ＬＥＤの欄が「Ｂ」であるＮｏ．３は、ＬＥＤ２７Ｂ単色の光の情報を示す。また、使用ＬＥＤの欄が「Ｙ」であるＮｏ．３は、ＬＥＤ２７Ｙ単色の光の情報を示す。
【００４７】
表１から理解されるように、４種類のＬＥＤのうち、ＬＥＤ２７Ｙは、発光効率が最も高い。つまり、一定の照度の光を出力するために消費する電力が、表１に挙げられた４種類のＬＥＤのうち最も少ないと言える。
【００４８】
＜基準光＞
次に、照明装置２０において、ＬＥＤ２７Ｒ，２７Ｇ，２７Ｂ，２７Ｙが合成されて生成される基準光について説明する。
【００４９】
図４では、基準色として、３種類の基準色（「ＲＧＢ（基準色）」「ＢＹ」「ＲＧＢＹ」）についての座標が示されている。また、表２に、これらの３種類の基準色についての情報を示す。
【００５０】
【表２】
0005744675.tif 000003
【００５１】
表２は、３種類の基準色の情報を、それぞれＮｏ．１〜３として、示している。
表２では、各基準色についての、ｘｙ色度、ＬＥＤの出力、消費電力、照度、発光効率、どのＬＥＤを使用したか、という情報が示されている。ここで、基準光とは、照明装置２０が、照明として、室内等で出力する光である。
【００５２】
表２において、使用ＬＥＤが「ＲＧＢ（基準色）」であるＮｏ．１は、ＬＥＤ２７Ｒ，２７Ｇ，２７Ｂの光が合成されて出力される基準光の一例である。以下の説明では、この基準光を「ＲＧＢ基準光」と呼ぶ。ＲＧＢ基準光は、従来から一般的な照明として利用されていた基準光である。
【００５３】
また、使用ＬＥＤが「ＢＹ」であるＮｏ．２は、ＬＥＤ２７Ｂ，２７Ｙの光が合成されて出力される基準光の一例である。以下の説明では、この基準光を「ＢＹ基準光」と呼ぶ。
【００５４】
また、使用ＬＥＤが「ＲＧＢＹ」であるＮｏ．３は、ＬＥＤ２７Ｒ，２７Ｇ，２７Ｂ，２７Ｙの光が合成されて出力される基準光の一例である。以下の説明では、この基準光を「ＲＧＢＹ基準光」と呼ぶ。
【００５５】
表２では、Ｎｏ．１〜３の各場合の照度がほぼ一定（１６０（Ｌｘ）程度）になるように合成および調光された例が示されている。
【００５６】
図４では、表２のＮｏ．１〜３のそれぞれの色度がプロットされている。Ｎｏ．１の光（ＲＧＢ基準光）は、塗り潰された黒色の四角印（ＲＧＢ（基準色））で示されている。Ｎｏ．２の光（ＢＹ基準光）は、図４では、塗り潰された黒色の三角印（ＢＹ）で示されている。Ｎｏ．３の光（ＲＧＢＹ基準光）は、図４では、白抜きの丸印（ＲＧＢＹ）で示されている。
【００５７】
ＲＧＢＹ基準光とＲＧＢ基準光の座標は、図４の色度図において略同様の位置にプロットされている。つまり、これらの光の色味がほぼ同じである。一方、表２によれば、１６０（Ｌｘ）程度の照度の光を出力するのに消費される電力は、ＲＧＢＹ基準光では１２７．６（Ｗ）であり、ＲＧＢ基準光では１４８．６２（Ｗ）である。つまり、ＲＧＢＹ基準光の方が、２０（Ｗ）程度消費電力が低く、エネルギー効率が良いといえる。このような消費電力における差異が生じる要因としては、ＲＧＢＹ基準光では、ＲＧＢ基準光に視感度の比較的高い黄（Ｙ）のＬＥＤ（ＬＥＤ２７Ｙ）をさらに合成し、また、ＲＧＢ基準光に対して、黄（Ｙ）の光より視感度の低い赤（Ｒ）および緑（Ｇ）のＬＥＤ（ＬＥＤ２７Ｒ，２７Ｇ）の出力比が低下させているため、効率よく照度が確保されていることが考えられる。
【００５８】
また、図４を参照して、ＢＹ基準光とＲＧＢ基準光は、その色味が比較的近いものとなっている。一方、表２によれば、１６０（Ｌｘ）程度の照度の光を出力するのに消費される電力は、ＢＹ基準光では１０１．３（Ｗ）であり、ＲＧＢ基準光では１４８．６２（Ｗ）である。つまり、ＢＹ基準光の方が、４７（Ｗ）程度消費電力が低く、エネルギー効率が良いといえる。このような消費電力における差異が生じる要因としては、ＢＹ基準光では、赤（Ｒ）および緑（Ｇ）のＬＥＤ（ＬＥＤ２７Ｒ，２７Ｇ）を利用せず、視感度が比較的高い黄（Ｙ）のＬＥＤ（ＬＥＤ２７Ｙ）の出力を高くしているため、効率よく照度が確保されていることが考えられる。
【００５９】
図５には、ＲＧＢ基準光とＲＧＢＹ基準光とＢＹ基準光について、消費電力と照度の関係を示す。図５では、縦軸の右側に消費電力が示され、縦軸の左側に照度が示されている。また、図５では、各基準光について、消費電力が棒グラフで示されている。そして、図５では、各基準光の照度が点Ｄ１〜点Ｄ３で示され、これらは線で結ばれている。点Ｄ１はＲＧＢ基準光の照度であり、点Ｄ２はＢＹ基準光の照度であり、点Ｄ３はＲＧＢＹ基準光の照度である。
【００６０】
図５に示されるように、ＲＧＢ基準光とＢＹ基準光とＲＧＢＹ基準光では、照度はほぼ同じであるが、消費電力の値は、ＢＹ基準光では最も小さく、その次にＲＧＢＹ基準光のものが小さく、ＲＧＢについてのものが最も大きい。つまり、ＢＹ基準光が最もエネルギー効率が高く、次にＲＧＢＹ基準光が高く、ＲＧＢ基準光はこれらの３つの基準光の中では最もエネルギー効率が低いと言える。
【００６１】
なお、これらの３つの基準光について、消費電力を一定にしようとした場合の各種のデータを表３に示し、また、消費電力と照度の関係を図６に示す。
【００６２】
【表３】
0005744675.tif 000004
【００６３】
図６では、各基準光の照度が点Ｄ１１〜点Ｄ１３で示され、これらは線で結ばれている。点Ｄ１１はＲＧＢ基準光の照度であり、点Ｄ１２はＢＹ基準光の照度であり、点Ｄ１３はＲＧＢＹ基準光の照度である。
【００６４】
表３および図６から理解されるように、上記３つの基準光について、消費電力が１０１（Ｗ）程度で一定に調整されている。この場合、各基準光の照度は、ＲＧＢ基準光では９５．６（Ｌｘ）であり、ＲＧＢＹ基準光では１１６．８（Ｌｘ）であり、そして、ＢＹ基準光では１６０．７（Ｌｘ）である。つまり、この場合も、ＢＹ基準光が最もエネルギー効率が高く、次にＲＧＢＹ基準光が高く、ＲＧＢ基準光はこれらの３つの基準光の中では最もエネルギー効率が低いと言える。
【００６５】
以上説明した本実施の形態では、ＲＧＢ基準光の代わりに、ＲＧＢＹ基準光やＢＹ基準光を合成して出力させることにより、照明装置２０のエネルギー効率を向上させることができる。
【００６６】
＜ＢＹ基準光におけるＬＥＤの出力比＞
色度図において、ＬＥＤ２７ＢとＬＥＤ２７Ｙの出力する光を合成されて生成されるＢＹ基準光の座標は、青色を出力するＬＥＤ２７Ｂの座標と黄色を出力するＬＥＤ２７Ｙの座標とを結ぶ直線上に位置する。このことから、色度図におけるＲＧＢ基準光の座標が上記直線上に存在しない場合には、ＢＹ基準光は、ＲＧＢ基準光との間で、多少色味に差が生じる。
【００６７】
図７は、ＢＹ基準光の色味をＲＧＢ基準光の色味に近づけるための方法を説明するための図である。
【００６８】
図７では、ＬＥＤ２７Ｂの色度図上の座標が点Ｂで示されている。また、ＬＥＤ２７Ｙの色度図上の座標が点Ｙで示されている。また、ＲＧＢ基準色の色度図上の座標が点ＲＧＢで示されている。そして、線Ｌ１は、点Ｂと点Ｙを結ぶ直線である。
【００６９】
ＬＥＤ２７ＢとＬＥＤ２７Ｙを合成して生成されるＢＹ基準光の座標は、線Ｌ１上のいずれかの座標となる。ここで、ＢＹ基準光の色味をＲＧＢ基準光の色味に近づけるためには、ＢＹ基準光を、点ＲＧＢに近い座標で表される光とすれば良い。そこで、ＢＹ基準光は、図７中の点ＢＹで表される光とされる。なお、点ＢＹは、点ＲＧＢから線Ｌ１に延ばした垂線と線Ｌ１の交点である。
【００７０】
なお、本実施の形態では、図７に示された各座標（点）において、点Ｙは第１の座標に相当し、点Ｂは第２の座標に相当し、点ＲＧＢは第３の座標に相当し、そして、点ＢＹは第４の座標に相当する。
【００７１】
＜基準光の切替＞
本実施の形態のシステム１００において、制御装置３０のＨＤＤ３５には、たとえば表２に示されたような、データ（すくなくとも、Ｎｏ．１〜３の各ＬＥＤの「ＬＥＤ出力」の値）が格納されている。ＣＰＵ３３が照明装置２０に対して各基準光を出力するための各ＬＥＤの「ＬＥＤ出力」の値を送信することにより、照明装置２０は、ＲＧＢ基準光、ＲＧＢＹ基準光、および、ＢＹ基準光のいずれをも出力できる。
【００７２】
なお、表２に示されたデータは、記憶部２６等の、照明装置２０側に記憶されていても良い。この場合、制御部２３は、実行中のプログラムに応じて、または、制御装置３０から入力された制御信号に応じて、各ＬＥＤ（ＬＥＤ２７Ｒ，２７Ｇ，２７Ｂ，２７Ｙ）の出力を制御する。具体的には、制御部２３は、制御信号に対応する基準光（ＲＧＢ基準光、ＲＧＢＹ基準光、および、ＢＹ基準光のいずれか）を特定し、当該特定した基準光を出力するための各ＬＥＤの出力を記憶部２６から読み出し、そして、読み出した各ＬＥＤの出力を駆動部２４へ送信する。これに応じて、駆動部２４は、各ＬＥＤの出力を制御する。結果として、照明装置２０から、ＲＧＢ基準光、ＲＧＢＹ基準光、または、ＢＹ基準光が出力される。
【００７３】
＜基準光の切替制御＞
システム１００では、上記したように、制御装置３０は、各電気機器１０の消費電力を取得できる。そして、制御装置３０は、各電気機器１０の消費電力の総量に基づいて、照明装置２０が出力する光の種類を切り替えてもよい。具体的には、基本的には照明装置２０にＲＧＢ基準光を出力させる。そして、システム１００における消費電力の総量が一定量を超えた場合には、総量を下げるべく、照明装置２０に、ＲＧＢ基準光の代わりに、ＲＧＢＹ基準光またはＢＹ基準光を出力させる。
【００７４】
図８は、このように照明装置２０に出力させる基準光を切り替えるために制御装置３０のＣＰＵ３３が実行する処理のフローチャートである。当該処理は、たとえば、制御装置３０に電源が投入されている期間中、もしくは、制御装置３０において基準光を切り替えるためのアプリケーションが起動されている期間中、実行される。
【００７５】
図８を参照して、ステップＳ１０で、ＣＰＵ３３は、ＰＬＣ３１を介して入力される照明装置２０および電気機器１０の消費電力の総量を算出し、当該総量が予め定められた一定量を超えたか否かを判断する。そして、超えたと判断すると、ステップＳ２０へ処理を進める。なお、ステップＳ１０の処理は、たとえば５秒など、一定時間ごとに実行される。
【００７６】
ステップＳ２０では、ＣＰＵ３３は、照明切替（１）処理を実行して、ステップＳ３０へ処理を進める。照明切替（１）処理では、ＣＰＵ３３は、照明装置２０に対して、出力する基準光を、ＲＧＢ基準光からＲＧＢＹ基準光またはＢＹ基準光へと切り替えるための指令を出力する。これに応じて、照明装置２０は、出力する基準光を、指令に従って切り替える。
【００７７】
ステップＳ３０では、ＣＰＵ３３は、ＰＬＣ３１を介して入力される照明装置２０および電気機器１０の消費電力の総量が所定量以下となったか否かを判断し、所定量以下となったと判断すると、ステップＳ４０へ処理を進める。なお、「所定量」とは、上記した「一定量」以下の値である。
【００７８】
ステップＳ４０では、ＣＰＵ３３は、照明切替（２）処理を実行して、ステップＳ１０へ処理を戻す。照明切替（２）処理では、ＣＰＵ３３は、照明装置２０に対して、出力する基準光を、ステップＳ２０で出力するよう指定したＲＧＢＹ基準光またはＢＹ基準光から、ＲＧＢ基準光へと切り替えるための指令を出力する。これに応じて、照明装置２０は、出力する基準光を、指令に従って切り替える。
【００７９】
以上説明した処理では、照明装置２０および電気機器１０の消費電力の総量が一定量を超えると、ステップＳ２０において、照明装置２０に対して、消費電力を低減させるために、出力する基準光を切り替えるための指令が出力される。
【００８０】
また、消費電力の総量が所定量以下となると、ステップＳ４０で、照明装置２０に対して、出力する基準光をＲＧＢ基準光に戻すための指令が出力される。なお、消費電力が上記した一定量以上となることを回避するだけでよければ、ステップＳ３０およびステップＳ４０の処理は省略されても良い。つまり、一度ＲＧＢ基準光とは別の基準光を出力するよう指令が出された後は、そのまま、出力する基準光をＲＧＢ基準光に戻すための指令は出されなくてもよい。もしくは、出力する基準光をＲＧＢ基準光に戻す指令は、制御装置３０に対して、および／または、照明装置２０に対して、特定の操作がなされたことを条件として出されても良い。
【００８１】
図９は、図８を参照して説明した処理の内容を具体的に説明するための図である。図９では、照明装置２０および複数の電気機器１０の消費電力の量の時間変化が示されている。また、図９では、上記したステップＳ１０における「一定量」がＷＢで示され、また、ステップＳ３０における「所定量」がＷＡで示されている。
【００８２】
図９を参照して、時刻Ｔ１では、テレビと照明装置が電力を消費している状態が示されている。なお、図９では、テレビの消費電力がＣ１０で示され、照明装置の消費電力がＣ２０で示されている。この場合、上記した照明装置２０と電気機器１０の消費電力の総量は「Ｃ２０＋Ｃ１０」であり、これは、ＷＢより低い値であるとする。
【００８３】
その後、時刻Ｔ２では、さらにエアコンが運転を開始している。図９では、エアコンの消費電力は、Ｃ３０で示されている。時刻Ｔ２では、照明装置２０と電気機器１０の消費電力の総量は「Ｃ２０＋Ｃ１０＋Ｃ３０」であり、これは、ＷＢを超えた値であるとする。これにより、図８の処理において、ステップＳ２０が実行される。その結果の消費電力が、時刻Ｔ３における消費電力で示されている。時刻Ｔ３では、照明装置が出力する基準光の種類を変えたことにより、その消費電力が、Ｃ２１へと低減されている。
【００８４】
なお、この後、エアコンの利用が停止されると、消費電力の総量は、「Ｃ２１＋Ｃ１０」へと低下する。これは、ＷＡ以下の値である。この状態でステップＳ４０の処理が実行されれば、照明装置が出力する基準光をＲＧＢ基準光に戻し、これにより、消費電力の総量は時刻Ｔ１に示したような「Ｃ２０＋Ｃ１０」に戻る。
【００８５】
なお、図８および図９を参照して説明した処理において、照明装置に、ＲＧＢ基準光からそれ以外の基準光へと切り替えさせる電力消費量（一定量，ＷＢ）と、ＲＧＢに戻させる電力消費量（所定量，ＷＡ）とは異なる値とされている。これにより、これらの値が同一の値とされる場合と比較して、消費電力の総量がＷＢ近傍で多少変化した場合にその都度、照明装置が出力する基準光の種類が変更される事態を回避できる。したがって、照明装置から出力される光の種類が変化することによる不快感を与えることを極力回避できる。
【００８６】
ただし、ステップＳ１０やステップＳ３０が実行される時間間隔が十分に長い場合などには、これらの値は同一の値とされても良い。
【００８７】
＜切替制御の変形例＞
なお、上記した処理では、ＲＧＢ基準光と、それ以外の基準光（ＲＧＢＹ基準光またはＢＹ基準光のいずれか）との間で切り換えられたが、ＲＧＢ基準光、ＲＧＢＹ基準光、ＢＹ基準光の３種類の中で、段階的に切り換えられても良い。図１０は、このような処理の内容を説明するための図である。
【００８８】
図１０には、基準光の切替についての４つの消費電力（Ｗ１〜Ｗ４）が示されている。このうち、Ｗ４が最も消費電力が大きく、Ｗ３、Ｗ２の順に小さくなり、Ｗ１が最も消費電力が小さい。
【００８９】
この例では、消費電力の総量がＷ２を超えると、制御装置３０のＣＰＵ３３は、照明装置２０に対して、ＲＧＢ基準光から、（ＲＧＢ基準光より消費電力が低い）ＲＧＢＹ基準光へと出力を切り換える旨の指令を送る。さらに、消費電力の総量がＷ４を超えると、制御装置３０のＣＰＵ３３は、照明装置２０に対して、ＲＧＢＹ基準光から、（ＲＧＢＹ基準光より消費電力が低い）ＢＹ基準光へと出力を切り換える旨の指令を送る。
【００９０】
なお、消費電力の総量がＷ３以下となると、ＣＰＵ３３は、照明装置２０に対して、ＢＹ基準光からＲＧＢＹ基準光へと出力を切り換える指令を送ることが好ましい。さらに、消費電力の総量がＷ１以下となると、ＣＰＵ３３は、照明装置２０に対して、ＲＧＢＹ基準光からＲＧＢ基準光へと出力を切り換える指令を送ることが好ましい。
【００９１】
＜システム構成の変形例＞
以上説明した本実施の形態では、システム１００内の通信がＰＬＣに従ったものとされたが、通信の方式はこれに限定されない。図１１は、システム１００構成の変形例の具体例を示す図である。
【００９２】
図１１を参照して、本変形例のシステム１００では、電気機器１０、照明装置２０、および制御装置３０は、家電向けの短距離無線通信規格の一つであるＺｉｇＢｅｅ（登録商標）を用いたネットワークで通信する。本変形例では、電気機器１０、照明装置２０、および制御装置３０は、それぞれＺｉｇｂｅｅ（登録商標）に従った通信を行なうための通信装置を備える。具体的には、本変形例では、電気機器１０Ａ，１０Ｂ，１０Ｃ、照明装置２０、および制御装置３０は、それぞれ、通信装置１１１Ａ，１１１Ｂ，１１１Ｃ（以下、これらを総称して「通信装置１１１」ともいう）、通信装置１２１、および通信装置１３１を備える。
【００９３】
また、本変形例では、図２と図３を参照して説明された電気機器１０と照明装置２０の構成は、それぞれ図１２と図１３に示されるように変更される。
【００９４】
図１２では、本変形例の電気機器１０のハードウェア構成が示されている。図１２に示された電気機器１０は、Ｚｉｇｂｅｅ（登録商標）に従った通信動作を実行する通信装置１１１を介して、他の機器と通信する。
【００９５】
図１３では、本変形例の照明装置２０のハードウェア構成が示されている。図１３に示された照明装置２０は、Ｚｉｇｂｅｅ（登録商標）に従った通信動作を実行する通信装置１２１を介して、他の機器と通信する。
【００９６】
＜ＬＥＤの変形例＞
＜ＬＥＤ光源・基準光の変形例＞
（単色光）
図１４は、照明装置２０の変形例から出力される光の色味を説明するためのｘｙ色度図である。図１４の色度図では、ＬＥＤ２７Ｒが単体で出力する光の座標が、塗りつぶされた丸印（Ｒ）で示されている。また、ＬＥＤ２７Ｇが単体で出力する光の座標が、白抜きの三角印（Ｇ）で示されている。また、ＬＥＤ２７Ｂが単体で出力する光の座標が、白抜きの四角印（Ｂ）で示されている。また、ＬＥＤ２７Ｙが単体で出力する光の座標が、菱形印（Ｙ）で示されている。
【００９７】
表４に、本変形例のＬＥＤ２７Ｒ，２７Ｇ，２７Ｂ，２７Ｙのそれぞれの情報を示す。
【００９８】
【表４】
0005744675.tif 000005
【００９９】
表４では、各ＬＥＤ２７Ｒ，２７Ｇ，２７Ｂ，２７Ｙのそれぞれについて、Ｎｏ．１〜４の番号が付され、ｘｙ色度、ＬＥＤの出力、消費電力、照度、発光効率、ＬＥＤ２７Ｒ，２７Ｇ，２７Ｂ，２７ＹのうちどのＬＥＤを使用したか、が示されている。表４において、照度の単位はルクス（Ｌｘ）で表されている。
【０１００】
表４においても、表１と同様に、使用ＬＥＤの欄が「Ｒ」であるＮｏ．１は、ＬＥＤ２７Ｒ単色の光の情報を示す。また、使用ＬＥＤの欄が「Ｇ」であるＮｏ．２は、ＬＥＤ２７Ｇ単色の光の情報を示す。また、使用ＬＥＤの欄が「Ｂ」であるＮｏ．３は、ＬＥＤ２７Ｂ単色の光の情報を示す。また、使用ＬＥＤの欄が「Ｙ」であるＮｏ．３は、ＬＥＤ２７Ｙ単色の光の情報を示す。
【０１０１】
表４から理解されるように、４種類のＬＥＤのうち、ＬＥＤ２７Ｙは、発光効率が最も高い。つまり、一定の照度の光を出力するために消費する電力が、表４に挙げられた４種類のＬＥＤのうち最も少ないと言える。
【０１０２】
（基準光）
次に、表４に示したような光源を備えた照明装置２０の変形例において、ＬＥＤ２７Ｒ，２７Ｇ，２７Ｂ，２７Ｙが合成されて生成される基準光について説明する。
【０１０３】
図１４では、基準色として、３種類の基準色（「ＲＧＢ（基準色）」「ＢＹ」「ＲＧＢＹ」）についての座標が示されている。また、表５に、これらの３種類の基準色についての情報を示す。
【０１０４】
【表５】
0005744675.tif 000006
【０１０５】
表５は、３種類の基準色の情報を、それぞれＮｏ．１〜３として、示している。
表５では、各基準色についての、ｘｙ色度、ＬＥＤの出力、消費電力、照度、発光効率、どのＬＥＤを使用したか、という情報が示されている。ここで、基準光とは、照明装置２０が、照明として、室内等で出力する光である。
【０１０６】
表５において、使用ＬＥＤが「ＲＧＢ（基準色）」であるＮｏ．１は、ＬＥＤ２７Ｒ，２７Ｇ，２７Ｂの光が合成されて出力される基準光の一例である。以下の説明では、この基準光を「ＲＧＢ基準光」と呼ぶ。ＲＧＢ基準光は、従来から一般的な照明として利用されていた基準光である。
【０１０７】
また、使用ＬＥＤが「ＢＹ」であるＮｏ．２は、ＬＥＤ２７Ｂ，２７Ｙの光が合成されて出力される基準光の一例である。以下の説明では、この基準光を「ＢＹ基準光」と呼ぶ。
【０１０８】
また、使用ＬＥＤが「ＲＧＢＹ」であるＮｏ．３は、ＬＥＤ２７Ｒ，２７Ｇ，２７Ｂ，２７Ｙの光が合成されて出力される基準光の一例である。以下の説明では、この基準光を「ＲＧＢＹ基準光」と呼ぶ。
【０１０９】
表５では、Ｎｏ．１〜３の各場合の照度がほぼ一定（２２６（Ｌｘ）程度）になるように合成および調光された例が示されている。
【０１１０】
図１４では、表５のＮｏ．１〜３のそれぞれの色度がプロットされている。Ｎｏ．１の光（ＲＧＢ基準光）は、塗り潰された黒色の四角印（ＲＧＢ（基準色））で示されている。Ｎｏ．２の光（ＢＹ基準光）は、図１４では、塗り潰された黒色の三角印（ＢＹ）で示されている。Ｎｏ．３の光（ＲＧＢＹ基準光）は、図１４では、白抜きの丸印（ＲＧＢＹ）で示されている。
【０１１１】
ＲＧＢＹ基準光とＲＧＢ基準光の座標は、図１４の色度図において略同様の位置にプロットされている。つまり、これらの光の色味がほぼ同じである。
【０１１２】
また、本変形例では、ＢＹ基準光とＲＧＢ基準光の座標は、図１４の色度図において略同様の位置にプロットされている。つまり、これらの光の色味がほぼ同じである。
【０１１３】
本変形例では、２２６（Ｌｘ）程度の照度の光を出力するのに消費される電力は、ＲＧＢ基準光では４５０（Ｗ）であり、ＲＧＢＹ基準光では３４１（Ｗ）であり、ＢＹ基準光では２８０（Ｗ）である。つまり、ＢＹ基準光が最もエネルギー効率が良く、次に、ＲＧＢＹ基準光がエネルギー効率が良いと言える。
【０１１４】
消費電力における差異が生じる要因として、ＲＧＢＹ基準光については、ＲＧＢ基準光に視感度の比較的高い黄（Ｙ）のＬＥＤ（ＬＥＤ２７Ｙ）をさらに合成し、また、ＲＧＢ基準光に対して、黄（Ｙ）の光より視感度の低い赤（Ｒ）および緑（Ｇ）のＬＥＤ（ＬＥＤ２７Ｒ，２７Ｇ）の出力比が低下させているため、効率よく照度が確保されていることが考えられる。また、ＢＹ基準光については、赤（Ｒ）および緑（Ｇ）のＬＥＤ（ＬＥＤ２７Ｒ，２７Ｇ）を利用せず、視感度が比較的高い黄（Ｙ）のＬＥＤ（ＬＥＤ２７Ｙ）の出力を高くしているため、効率よく照度が確保されていることが考えられる。
【０１１５】
本変形例では、ＬＥＤ２７ＢとＬＥＣ２７Ｙの組合せとして、ＬＥＤ２７ＢとＬＥＣ２７Ｙのみを組み合わせることによってＲＧＢ基準光とほぼ同様の色味の光を出力することができる。図１４の色度図においてＬＥＤ２７Ｂ単色の座標とＬＥＣ２７Ｙ単色の座標を結ぶ線を考慮した場合、ほぼ当該線上に、ＲＧＢ基準光の座標が存在するからである。つまり、本変形例の照明装置２０は、ＬＥＤ２７ＢとＬＥＣ２７Ｙのみを組み合わせることによって、ＲＧＢ基準光とほぼ同じ色味を持つ光を、高いエネルギー効率で出力できる。
【０１１６】
図１５は、ＲＧＢ基準光とＲＧＢＹ基準光とＢＹ基準光について、消費電力と照度の関係を示す。図１５では、縦軸の右側に消費電力が示され、縦軸の左側に照度が示されている。また、図１５では、各基準光について、消費電力が棒グラフで示されている。そして、図１５では、各基準光の照度が点Ｄ１〜点Ｄ３で示され、これらは線で結ばれている。点Ｄ２１はＲＧＢ基準光の照度であり、点Ｄ２２はＢＹ基準光の照度であり、点Ｄ２３はＲＧＢＹ基準光の照度である。
【０１１７】
図１５に示されるように、本変形例においても、ＲＧＢ基準光とＢＹ基準光とＲＧＢＹ基準光では、照度はほぼ同じであるが、消費電力の値は、ＢＹ基準光では最も小さく、その次にＲＧＢＹ基準光のものが小さく、ＲＧＢについてのものが最も大きい。つまり、ＢＹ基準光が最もエネルギー効率が高く、次にＲＧＢＹ基準光が高く、ＲＧＢ基準光はこれらの３つの基準光の中では最もエネルギー効率が低いと言える。
【０１１８】
＜その他の変形例等＞
以上説明した本実施の形態では、照明装置２０と、照明装置２０が出力する基準光の種類を切り換えるための制御を実行する制御装置３０とによって、照明システムが構成されている。なお、基準光の種類の切替は、システム１００における消費電力の総量に基づく場合もあれば、制御装置３０（パネル３６）に対する操作に基づく場合もある。
【０１１９】
また、照明装置２０と制御装置３０とがユニット化され、これをまとめて照明装置と考えることができる。つまり、照明装置２０に、当該照明装置２０およびシステム１００における他の機器の消費電力を計測する機能が備えられ、そして、当該計測された消費電力に基づいて、その照明動作を制御する機能が備えられていても良い。
【０１２０】
本実施の形態においてシステム１００を構成する電気機器１０の種類は、図１に示されたものに限定されない。システム１００には、図１に示されたものの一部の代わりに、または、図１に示されたものに加えて、他の電気機器（コンポーネントステレオ、パーソナルコンピュータ、等）が接続されていても良い。
【０１２１】
また、制御装置３０は、システム１００に接続されるすべての電気機器の消費電力を計測できない場合もある。このような場合、制御装置３０は、消費電力を計測可能な電気機器についてのみ、その総量が、上記した一定量等に達したか否かを判断し、制御動作を実行する。
【０１２２】
なお、照明装置２０は、制御装置３０からの指令だけでなく、当該照明装置２０の入力部２２に対する操作によっても、出力する基準光の種類を切り換えることができる。
【０１２３】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、実施の形態およびその変形例に記載の発明は、単独で、または、可能な限り組合わされて、実施されることが意図される。
【符号の説明】
【０１２４】
１０  電気機器、１２，２２  入力部、１３，２３  制御部、１４，２４  駆動部、１５，２５  エネルギー管理部、１６，２６  記憶部、２０  照明装置、３０  制御装置、３４  ＲＡＭ、３６  パネル、３７  通信デバイス、５０  電源ケーブル、１００  システム。
【図１】
0005744675.tif 000007
【図２】
0005744675.tif 000008
【図３】
0005744675.tif 000009
【図４】
0005744675.tif 000010
【図５】
0005744675.tif 000011
【図６】
0005744675.tif 000012
【図７】
0005744675.tif 000013
【図８】
0005744675.tif 000014
【図９】
0005744675.tif 000015
【図１０】
0005744675.tif 000016
【図１１】
0005744675.tif 000017
【図１２】
0005744675.tif 000018
【図１３】
0005744675.tif 000019
【図１４】
0005744675.tif 000020
【図１５】
0005744675.tif 000021